(57)【要約】【課題】遊技店舗内のホール機器に対する現金回収又は補充を行う者を予め設定し、設定した者にのみ回収等を許可することにより、現金取り扱いの厳正化を図れるようにする。【解決手段】売上金入金処理装置と、ホール機器の扉の解錠を行うための鍵を収納する鍵管理装置とを通信可能に接続し、前記売上金入金処理装置は、入金処理を行う担当者のＩＤ情報を入力するＩＤ情報入力手段と、前記担当者が現金を回収しようとするホール機器を指定するための機器情報入力手段とを備え、前記ＩＤ情報入力手段で担当者のＩＤ情報が入力され、かつ、前記機器情報入力手段で前記ホール機器の機器情報が入力され、前記ＩＤ情報と関連付けられて記憶手段に記憶されたことを条件として、前記鍵管理装置に対し、指定されたホール機器に対応する鍵の取出許可信号を送信するとともに、前記鍵管理装置は、受信した前記取出許可信号によって前記ホール機器の解錠鍵を取り出し可能に制御する鍵取出制御手段を備える。【選択図】図３
2006091941.tif 000002
【特許請求の範囲】
【請求項１】
遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、
前記売上金入金処理装置は、入金処理を行う担当者のＩＤ情報を入力するＩＤ情報入力手段と、前記担当者が現金を回収しようとするホール機器を指定するための機器情報入力手段とを備え、
前記ＩＤ情報入力手段で担当者のＩＤ情報が入力され、かつ、前記機器情報入力手段で前記ホール機器の機器情報が入力され、前記ＩＤ情報と関連付けられて記憶手段に記憶されたことを条件として、前記鍵管理装置に対し、前記指定されたホール機器に対応する鍵の取出許可信号を送信するとともに、
前記鍵管理装置は、受信した前記取出許可信号によって前記ホール機器の解錠鍵を取り出し可能に制御する鍵取出制御手段を備えたことを特徴とする売上金入金処理システム。
【請求項２】
前記担当者のＩＤ情報はカードに記憶されたものであり、前記ＩＤ情報入力手段はＩＤカード読取装置である請求項１に記載の売上金入金処理システム。
【請求項３】
遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、
前記売上金入金処理装置は、入金処理を行う担当者のＩＤ情報を入力するＩＤ情報入力手段と、前記担当者が現金を回収しようとするホール機器を指定するための機器情報入力手段と、前記機器情報入力手段で入力された前記ホール機器の機器情報と前記担当者のＩＤ情報とを関連付けて記憶する記憶手段とを備え、
前記鍵管理装置は、前記担当者のＩＤ情報を読み取るＩＤ情報読取手段を備え、前記読み取られたＩＤ情報を前記売上金入金処理装置に送信し、
前記売上金入金処理装置は、前記鍵管理装置から送られたＩＤ情報を受信し、前記記憶手段に記憶されている前記ＩＤ情報と比較し、一致していれば、前記ＩＤ情報と関連付けられて記憶されている機器情報によって特定されるホール機器の解錠鍵の取出許可信号を前記鍵管理装置に送信するとともに、
前記鍵管理装置は、受信した前記取出許可信号によって前記ホール機器の解錠鍵を取り出し可能に制御する鍵取出制御手段をさらに備えたことを特徴とする売上金入金処理システム。
【請求項４】
遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、
前記売上金入金処理装置は、入金処理を行う担当者のＩＤ情報を入力するＩＤ情報入力手段と、前記担当者が現金を回収しようとするホール機器を指定するための機器情報入力手段とを備え、前記ＩＤ情報入力手段で担当者のＩＤ情報が入力され、かつ、前記機器情報入力手段で前記ホール機器の機器情報が入力され、前記ＩＤ情報と関連付けられて記憶手段に記憶されたことを条件として、前記鍵管理装置に対し、前記指定されたホール機器に対応する鍵の取出許可信号と前記ＩＤ情報とをセットで送信するとともに、
前記鍵管理装置は、前記ＩＤ情報を読み取るＩＤ情報読取手段を備え、前記読み取られたＩＤ情報と前記売上金入金処理装置から送られたＩＤ情報とを比較し、一致していれば、受信した前記取出許可信号によって前記ホール機器の解錠鍵を取り出し可能に制御する鍵取出制御手段をさらに備えたことを特徴とする売上金入金処理システム。
【請求項５】
前記担当者のＩＤ情報はカードに記憶されたものであり、前記ＩＤ情報入力手段及びＩＤ情報読取手段はＩＤカード読取装置である請求項３又は４に記載の売上金入金処理システム。
【発明の詳細な説明】
【技術分野】
【０００１】
本発明は遊技店の店舗内における売上金入金処理システムに関するもので、特に店舗内の各機器に対する現金回収又は補充を行う者を予め設定し、設定した者にのみ回収等を許可することにより、現金取り扱いの厳正化を図れるようにした売上金入金処理システムに関する。
【背景技術】
【０００２】
遊技店に設置される売上金入金処理装置であって、店舗内の両替機、遊技カード販売機、台間玉貸機／台間メダル貸機等のホール機器から集めてきた現金を入金するものとして本出願人による特開２００４−５４４５６号公報に示されるものがある。
しかしながら、かかる売上金入金処理装置を用いた売上金の入金処理には、以下のような問題があった。すなわち、各ホール機器にある現金を回収してきて、売上金入金処理装置で入金を行う場合、その売上金を誰がどのホール機器から回収してきたものであるのかがわからない。その結果、店舗内にあるべき現金の在高（一般にはホールコンピュータで管理されている。）と売上金入金処理装置で管理している現金との不一致が発生した場合、責任の所在の究明ができなくなる。
また、売上金入金処理装置より取り出した店内準備金を、誰がどのホール機器に補充したかを簡単に判別することができないため、取り出された準備金の額と補充された現金の額とが一致しない場合に、責任の所在が不明確となるという問題もあった。
ところで、各ホール機器の扉には施錠されており、該ホール機器からの現金回収／現金補充の際には、担当者が所定の鍵管理ボックスの中から該当するホール機器の鍵を持ち出して解錠している。この場合、その鍵を持ち出した者が誰であるか、目的（準備金補充なのか売上金回収なのか）は何なのかを明確にし、記録として残しておけば、上記のような問題が発生した場合でも、責任の所在を把握することは可能である。
【特許文献１】特開２００４−５４４５６号公報
【特許文献２】特開平５−１５６８４６号公報
【発明の開示】
【発明が解決しようとする課題】
【０００３】
本発明は上述のような事情に鑑み為されたものであり、本発明の目的は、店舗内の各機器に対する現金回収又は補充を行う者を予め設定し、設定した者にのみ回収等を許可することにより、現金取り扱いの厳正化を図れるようにした売上金入金処理システムを提供することにある。
【課題を解決するための手段】
【０００４】
本発明は現金取り扱いの厳正化を図れるようにした売上金入金処理システムに関し、本発明の上記目的を達成するための第１の発明は、遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、前記売上金入金処理装置は、入金処理を行う担当者のＩＤ情報を入力するＩＤ情報入力手段と、前記担当者が現金を回収しようとするホール機器を指定するための機器情報入力手段とを備え、前記ＩＤ情報入力手段で担当者のＩＤ情報が入力され、かつ、前記機器情報入力手段で前記ホール機器の機器情報が入力され、前記ＩＤ情報と関連付けられて記憶手段に記憶されたことを条件として、前記鍵管理装置に対し、前記指定されたホール機器に対応する鍵の取出許可信号を送信するとともに、
前記鍵管理装置は、受信した前記取出許可信号によって前記ホール機器の解錠鍵を取り出し可能に制御する鍵取出制御手段を備えたことを特徴とする。
【０００５】
また、本発明の上記目的を達成するための第２の発明は、遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、前記売上金入金処理装置は、入金処理を行う担当者のＩＤ情報を入力するＩＤ情報入力手段と、前記担当者が現金を回収しようとするホール機器を指定するための機器情報入力手段と、前記機器情報入力手段で入力された前記ホール機器の機器情報と前記担当者のＩＤ情報とを関連付けて記憶する記憶手段とを備え、前記鍵管理装置は、前記担当者のＩＤ情報を読み取るＩＤ情報読取手段を備え、前記読み取られたＩＤ情報を前記売上金入金処理装置に送信し、前記売上金入金処理装置は、前記鍵管理装置から送られたＩＤ情報を受信し、前記記憶手段に記憶されている前記ＩＤ情報と比較し、一致していれば、前記ＩＤ情報と関連付けられて記憶されている機器情報によって特定されるホール機器の解錠鍵の取出許可信号を前記鍵管理装置に送信するとともに、前記鍵管理装置は、受信した前記取出許可信号によって前記ホール機器の解錠鍵を取り出し可能に制御する鍵取出制御手段をさらに備えたことを特徴とする。
【０００６】
さらに、本発明の上記目的を達成するための第３の発明は、遊技店の店舗内に存在する複数のホール機器から回収された現金を一括して受け入れて金種毎に計数記憶して入金処理を行う売上金入金処理装置と、前記ホール機器それぞれの扉の解錠を行うための鍵を収納する鍵管理装置とが通信可能に接続された売上金入金処理システムであって、前記売上金入金処理装置は、入金処理を行う担当者のＩＤ情報を入力するＩＤ情報入力手段と、前記担当者が現金を回収しようとするホール機器を指定するための機器情報入力手段とを備え、前記ＩＤ情報入力手段で担当者のＩＤ情報が入力され、かつ、前記機器情報入力手段で前記ホール機器の機器情報が入力され、前記ＩＤ情報と関連付けられて記憶手段に記憶されたことを条件として、前記鍵管理装置に対し、前記指定されたホール機器に対応する鍵の取出許可信号と前記ＩＤ情報とをセットで送信するとともに、
前記鍵管理装置は、前記ＩＤ情報を読み取るＩＤ情報読取手段を備え、前記読み取られたＩＤ情報と前記売上金入金処理装置から送られたＩＤ情報とを比較し、一致していれば、受信した前記取出許可信号によって前記ホール機器の解錠鍵を取り出し可能に制御する鍵取出制御手段をさらに備えたことを特徴とする。
【０００７】
またさらに、本発明の上記目的は、前記担当者のＩＤ情報をカードに記憶させ、前記ＩＤ情報入力手段及びＩＤ情報読取手段をＩＤカード読取装置で構成することにより、さらに効果的に達成される。
【発明の効果】
【０００８】
担当者のＩＤ情報を読み取って、この担当者が入力した機器情報とＩＤ情報とを関連付けて記憶することで、誰がどの機器を担当したのかを管理することができる。又、その該当機器についての鍵のみを取り出し可能とすることで、現金取り扱い面での厳正化が達成できるという効果がある。
【発明を実施するための最良の形態】
【０００９】
本発明に係る売上金入金処理システムについて、図面を参照しつつ詳細に説明する。
図１は、売上金入金処理装置１と鍵管理装置２とからなる売上金入金処理システムを含む、遊技店全体の管理システムを示す図である。本発明は、図中のアミカケされた部分で構成される売上金入金処理システムに関する発明であるので、他の部分は本発明に直接関係はないが、以下の説明の理解を容易にするために掲げるものである。遊技店本部は各地に配下の遊技店舗を有しており、各店舗から通信ネットワークを介して送られてくる売上データ等をホストに吸い上げ、本部管理用コンピュータで様々なデータ加工を行っている。
一方、各遊技店においては、ホール内にある券売機、玉貸機、メダル貸機、両替機、精算機等のホール機器から回収された現金を、店員等の担当者が売上金入金処理装置を用いて計数し売上金の入金処理を行っている。また、ホールコンピュータは各ホール機器の現金の在高を常時把握しており、入金処理された売上金データと各ホール機器の在高合計とを比較し、入金処理に間違いがないかどうかをチェックしている。チェックが終了したデータは通信ネットワークを介して本部のホストに送られて管理される。
鍵管理装置２には、各ホール機器の扉の解錠を行う鍵がホール機器ごとに用意されており、自由には取り出せないようにロックされている。なお、この鍵管理装置２には、上記特許文献２に記載の鍵管理機を利用することができる。
【００１０】
図２は本発明に係る売上金入金処理システムを構成する売上金入金処理装置１と鍵管理装置２の内部構成を示すブロック図である。
売上金入金処理装置１は、現金を回収する対象となるホール機器の情報（機器名、番号等）を入力するための機器情報入力手段１１、現金を回収し、入金処理を行う担当者のＩＤ情報（氏名、社員番号等）を入力するためのＩＤ情報入力手段１２、入力された前記機器情報及びＩＤ情報を記憶させるための記憶手段１３、鍵管理装置２との間でデータの送受信を行うための通信手段１４、前記各手段を所定のプログラムに従って制御するための制御部１５を具備している。前記ＩＤ情報入力手段１２の例としては、キーボード、又は、予めＩＤカード３に記憶させたＩＤ情報を読み込むためのＩＤカード読取装置が考えられる。
なお、従来の売上金入金処理装置（例えば、特許文献１に記載のもの）に具備されている金種識別手段等の手段については当然ながら具備されているので、説明は省略する。
【００１１】
鍵管理装置２は、ホール機器から現金の回収を行う担当者のＩＤ情報（氏名、社員番号等）をＩＤカード３から読み取るためのＩＤ情報読取手段２１、売上金入金処理装置１との間でのデータ通信を行うための通信手段２２、各ホール機器の扉の解錠を行うための鍵の取り出し制御を行う鍵取出制御手段２３、前記各手段を所定のプログラムに従って制御するための制御部２４を具備している。記憶手段２５は読み取られたＩＤ情報や、売上金入金処理装置１から送られてきたデータを一時的に記憶させておくためのものである。
【００１２】
上記の構成において、本発明に係る売上金入金処理システムの動作について、フローチャートを用いて詳細に説明する。
【００１３】
図３は売上金入金処理システムの第１の発明の動作を示すフローチャートである。
まず、ホール機器から現金の回収を行う担当者は自分のＩＤカード３を売上金入金処理装置１のＩＤカード読取装置１２に挿入してＩＤを入力し（キーボードから直接入力してもよい。）、処理の内容（ここでは「現金回収」）を指定入力する（ステップＳ１）。次に、現金回収を行うホール機器の機器情報（機器名、番号等）を指定入力する（ステップＳ２）。これは予め設定されている一覧リストから選択するようにしてもよい。担当者ＩＤと機器情報が入力されると、それらが関連付けられて記憶手段１３に記憶される（ステップＳ３）。次に、前記指定されたホール機器の解錠鍵の取出許可信号が通信手段１４を介して鍵管理装置２に送られ（ステップＳ４）、鍵取出制御手段２３によって(指定された)ホール機器の解錠鍵のロックが解除され、鍵の取り出しが可能となる（ステップＳ５）。担当者は指定機器の鍵を取り出し、指定機器のところへ行く（ステップＳ６）。担当者は指定機器の扉の鍵を開け、現金を回収する（ステップＳ７）。
担当者は再び売上金入金処理装置１のところへ戻り、担当者ＩＤカードをＩＤカード読取装置に挿入してＩＤを入力し、処理の内容（ここでは「入金処理」）を指定入力する（ステップＳ８）。ＩＤ情報を入力すると、記憶手段１３に前記ＩＤ情報と関連付けられて記憶されている機器情報が呼び出されて(図示しない)表示部に表示される（ステップＳ９）。もし、担当者が複数の機器を指定したような場合は複数表示されるので、その中から選択することになる。次に、表示されている機器から回収してきた現金を売上金入金処理装置１に投入して入金処理を行う（ステップＳ１０）。このようにして、現金回収した担当者ＩＤ、及び回収対象のホール機器名、さらには入金処理結果が関連付けられて記憶されるので、責任の所在が明確となる。
なお、上記第１の発明は、担当者ＩＤと機器情報を入力すると、すぐに取出許可信号が鍵管理装置２に送られて鍵の取り出しが可能となるので、鍵管理装置２の設置場所は売上金入金処理装置１のすぐ近くであることが望ましい。そうしないと、無関係な第三者に鍵を盗まれる恐れがあるからである。
【００１４】
図４は売上金入金処理システムの第２の発明の動作を示すフローチャートである。
まず、ホール機器から現金の回収を行う担当者は自分のＩＤカードを売上金入金処理装置１のＩＤカード読取装置に挿入してＩＤを入力し、処理の内容（ここでは「現金回収」）を指定入力する（ステップＳ１１）。次に、現金回収を行うホール機器の機器情報（機器名、番号等）を指定入力する（ステップＳ１２）。これは予め設定されている一覧リストから選択するようにしてもよい。担当者ＩＤと機器情報が入力されると、それらが関連付けられて記憶手段１３に記憶される（ステップＳ１３）。
次に、担当者は鍵管理装置２のところへ行き、ＩＤカード読取装置２１にカードを挿入してＩＤ情報を読み込ませる（ステップＳ１４）。読み込まれたＩＤ情報は通信手段２２を介して前記売上金入金処理装置１に送られ、記憶手段１３に記憶されているＩＤ情報と比較される（ステップＳ１５）。もし、一致しない場合は、記憶手段１３にＩＤ情報が記憶されていないことになるので、始めに戻ってＩＤを入力する（ステップＳ１１に戻る）。
ＩＤ情報が一致した場合は、該ＩＤ情報と関連付けられている機器情報によって特定されるホール機器の鍵取出許可信号が通信手段１４を介して鍵管理装置２に送られ、鍵取出制御手段２３によって(指定された)ホール機器の解錠鍵のロックが解除され、鍵の取り出しが可能となる（ステップＳ１６）。
ステップＳ１７〜Ｓ２１については前述のステップＳ６〜Ｓ１０と同一なので説明は省略する。
なお、上記第２の発明は、鍵管理装置２側で入力したＩＤ情報と、売上金入金処理装置１で入力したＩＤ情報とを照合して、一致しないと鍵が取り出せないため、鍵管理装置２が売上金入金処理装置１とは離れた別の場所にあっても、第三者が取り出すことはできないので、安全である。
【００１５】
図５は売上金入金処理システムの第３の発明の動作を示すフローチャートである。
まず、ホール機器から現金の回収を行う担当者は自分のＩＤカードを売上金入金処理装置１のＩＤカード読取装置に挿入してＩＤを入力し、処理の内容（ここでは「現金回収」）を指定入力する（ステップＳ３１）。次に、現金回収を行うホール機器の機器情報（機器名、番号等）を指定入力する（ステップＳ３２）。これは予め設定されている一覧リストから選択するようにしてもよい。担当者ＩＤと機器情報が入力されると、それらが関連付けられて記憶手段１３に記憶される（ステップＳ３３）。次に、前記指定されたホール機器の解錠鍵の取出許可信号と前記入力されたＩＤ情報とがセットで通信手段１４を介して鍵管理装置２に送られ、鍵管理装置２の記憶手段２５に記憶される（ステップＳ３４）。
次に、担当者は鍵管理装置２のところへ行き、ＩＤカード読取装置２１にカードを挿入してＩＤ情報を読み込ませる（ステップＳ３５）。読み込まれたＩＤ情報は記憶手段２５に記憶されている前記ＩＤ情報と比較される（ステップＳ３６）。もし、一致しない場合は、記憶手段２５にＩＤ情報が記憶されていないことになるので、始めに戻ってＩＤを入力する（ステップＳ３１に戻る）。
ＩＤ情報が一致した場合は、該ＩＤ情報とセットで記憶手段２５に記憶されている鍵取出許可信号によって、鍵取出制御手段２３が(指定された)ホール機器の解錠鍵のロックを解除し、鍵の取り出しを可能とする（ステップＳ３７）。
ステップＳ３８〜Ｓ４２については前述のステップＳ６〜Ｓ１０と同一なので説明は省略する。
なお、上記第３の発明は、鍵管理装置２側で入力したＩＤ情報と、売上金入金処理装置１で入力したＩＤ情報とを照合して、一致しないと鍵が取り出せないという点では、第２の発明と共通するが、売上金入金処理装置１で入力されたＩＤ情報と鍵取出許可信号が、鍵管理装置側の記憶手段２５に格納されるという点で異なる。
【００１６】
以上、ホール機器から現金を回収して入金処理を行う場合を例として説明を行ったが、本発明はこれに限られるものではなく、売上金入金処理装置１内にある店内準備金（両替用又は釣銭用の準備金）をホール機器に補充する場合にも利用できるものである。
【図面の簡単な説明】
【００１７】
【図１】本発明に係る売上金入金処理システムを含む、遊技店全体の管理システムの一例を示す図である。
【図２】売上金入金処理システムを構成する売上金入金処理装置と鍵管理装置の内部構成を示すブロック図である。
【図３】売上金入金処理システムの第１の発明の動作を示すフローチャートの一例である。
【図４】売上金入金処理システムの第２の発明の動作を示すフローチャートの一例である。
【図５】売上金入金処理システムの第３の発明の動作を示すフローチャートの一例である。
【符号の説明】
【００１８】
１  売上金入金処理装置
２  鍵管理装置
３  ＩＤカード
１１  機器情報入力手段
１２  ＩＤ情報入力手段
１３、２５  記憶手段
１４、２２  通信手段
１５、２４  制御部
２１  ＩＤ情報読取手段
２３  鍵取出制御手段
【図１】
2006091941.tif 000003
【図２】
2006091941.tif 000004
【図３】
2006091941.tif 000005
【図４】
2006091941.tif 000006
【図５】
2006091941.tif 000007